【手続補正書】
【提出日】令和1年5月7日(2019.5.7)
【手続補正１】
【補正対象書類名】特許請求の範囲
【補正対象項目名】全文
【補正方法】変更
【補正の内容】
【特許請求の範囲】
【請求項１】
アモルファスポリエステル樹脂と、結晶性ポリエステル樹脂と、着色剤と、ワックスとから構成され、前記結晶性ポリエステル樹脂が、ロジン酸またはロジン酸塩を含み、前記結晶性ポリエステル樹脂が、ポリ（１，２−プロピレン−ジエチレン−テレフタレート）、ポリ（エチレン−テレフタレート）、ポリ（プロピレン−テレフタレート）、ポリ（ブチレン−テレフタレート）、ポリ（ペンチレン−テレフタレート）、ポリ（ヘキシレン−テレフタレート）、ポリ（ヘプチレン−テレフタレート）、ポリ（オクチレン−テレフタレート）、ポリ（エチレン−セバケート）、ポリ（プロピレン−セバケート）、ポリ（ブチレン−セバケート）、ポリ（ノニレン−セバケート）、ポリ（エチレン−アジペート）、ポリ（プロピレン−アジペート）、ポリ（ブチレン−アジペート）、ポリ（ペンチレン−アジペート）、ポリ（ヘキシレン−アジペート）、ポリ（ヘプチレン−アジペート）、ポリ（オクチレン−アジペート）、ポリ（エチレン−グルタレート）、ポリ（プロピレン−グルタレート）、ポリ（ブチレン−グルタレート）、ポリ（ペンチレン−グルタレート）、ポリ（ヘキシレン−グルタレート）、ポリ（ヘプチレン−グルタレート）、ポリ（オクチレン−グルタレート）、ポリ（エチレン−ピメレート）、ポリ（プロピレン−ピメレート）、ポリ（ブチレン−ピメレート）、ポリ（ペンチレン−ピメレート）、ポリ（ヘキシレン−ピメレート）、ポリ（ヘプタレン−ピメレート）、ポリ（１，２−プロピレンイタコネート）；ポリ（エチレン−サクシネート）、ポリ（プロピレン−サクシネート）、ポリ（ブチレン−サクシネート）、ポリ（ペンチレン−サクシネート）、ポリ（ヘキシレン−サクシネート）、ポリ（オクチレン−サクシネート）、ポリ（デシレン−デカノエート）、ポリ（エチレン−デカノエート）、ポリ（エチレンドデカノエート）、ポリ（ノニレン−デカノエート）、コポリ（エチレン−フマレート）−コポリ（エチレン−セバケート）、コポリ（エチレン−フマレート）−コポリ（エチレン−デカノエート）、コポリ（エチレン−フマレート）−コポリ（エチレン−ドデカノエート）、ポリ（１，６−ヘキシレン−１，１２−ドデカノエート）、または場合によりこれらの混合物であり、前記ロジン酸塩が、以下の式／構造の１つ
【化１】
2016218443.tif 000001
によって表され、式中、Ｍは、水素原子、ＮＨ４または金属である、トナー組成物。
【請求項２】
前記ロジン酸塩が、デヒドロアビエチン酸のカリウム塩である、請求項１に記載のトナー組成物。
【請求項３】
Ｍが、ナトリウム、カリウム、リチウムまたはマグネシウムである、請求項２に記載のトナー組成物。
【請求項４】
Ｍがナトリウムまたはカリウムである、請求項２に記載のトナー組成物。
【請求項５】
前記ロジン酸塩が、水酸化カリウムで中和されたロジンであり、前記結晶性ポリエステルが、ポリ（１，６−ヘキシレン−１，１２−ドデカノエート）である、請求項１に記載のトナー組成物。
【請求項６】
前記ロジン酸が、ガムロジン、トール油ロジンまたはウッドロジンの天然ロジン、不均化されたロジン酸、水素化されたロジン酸、デヒドロアビエチン酸、ピマル酸、サンダラコピマル酸、パルストリン酸、イソピマル酸、アビエチン酸、デヒドロアビエチン酸、ネオアビエチン酸、ジヒドロピマル酸、ジヒドロアビエチン酸およびテトラヒドロアビエチン酸からなる群から選択される、請求項１に記載のトナー組成物。
【請求項７】
前記アモルファスポリエステル樹脂が、ポリ（プロポキシル化ビスフェノール  コ−フマレート）、ポリ（エトキシル化ビスフェノール  コ−フマレート）、ポリ（ブチルオキシル化ビスフェノール  コ−フマレート）、ポリ（コ−プロポキシル化ビスフェノール  コ−エトキシル化ビスフェノール  コ−フマレート）、ポリ（１，２−プロピレンフマレート）、ポリ（プロポキシル化ビスフェノール  コ−マレエート）、ポリ（エトキシル化ビスフェノール  コ−マレエート）、ポリ（ブチルオキシル化ビスフェノール  コ−マレエート）、ポリ（コ−プロポキシル化ビスフェノール  コ−エトキシル化ビスフェノール  コ−マレエート）、ポリ（１，２−プロピレンマレエート）、ポリ（プロポキシル化ビスフェノール  コ−イタコネート）、ポリ（エトキシル化ビスフェノール  コ−イタコネート）、ポリ（ブチルオキシル化ビスフェノール  コ−イタコネート）、ポリ（コ−プロポキシル化ビスフェノール  コ−エトキシル化ビスフェノール  コ−イタコネート）、ポリ（１，２−プロピレンイタコネート）、コポリ（プロポキシル化ビスフェノールＡ  コ−フマレート）−コポリ（プロポキシル化ビスフェノールＡ  コ−テレフタレート）、ターポリ（プロポキシル化ビスフェノールＡ  コ−ドデシルサクシネート）−ターポリ（プロポキシル化ビスフェノールＡ  コ−テレフタレート）−ターポリ−（プロポキシル化ビスフェノールＡ  コ−ドデシルサクシネート）、およびこれらの混合物からなる群から選択される、請求項１に記載のトナー組成物。
【請求項８】
前記結晶性ポリエステル樹脂が、ポリ（１，６−ヘキシレン−１，１２−ドデカノエート）である、請求項１に記載のトナー組成物。
【請求項９】
前記アモルファスポリエステル樹脂が、コポリ（プロポキシル化ビスフェノールＡ  コ−フマレート）−コポリ（プロポキシル化ビスフェノールＡ  コ−テレフタレート）、または、ターポリ（プロポキシル化ビスフェノールＡ  コ−ドデシルサクシネート）−ターポリ（プロポキシル化ビスフェノールＡ  コ−テレフタレート）−ターポリ−（プロポキシル化ビスフェノールＡ  コ−ドデシルサクシネート）であり、前記結晶性ポリエステル樹脂が、ポリ（１，６−ヘキシレン−１，１２−ドデカノエート）である、請求項１に記載のトナー組成物。
【請求項１０】
前記結晶性ポリエステル樹脂が、ポリ（１，２−プロピレン−ジエチレン−テレフタレート）、ポリ（デシレン−デカノエート）、ポリ（エチレン−デカノエート）、ポリ（エチレンドデカノエート）、ポリ（ノニレン−デカノエート）、コポリ（エチレン−フマレート）−コポリ（エチレン−セバケート）、コポリ（エチレン−フマレート）−コポリ（エチレン−デカノエート）、コポリ（エチレン−フマレート）−コポリ（エチレン−ドデカノエート）である、請求項１に記載のトナー組成物。
【請求項１１】
前記ワックスが、ポリオレフィンである、請求項１に記載のトナー組成物。
【請求項１２】
前記ワックスが、ポリエチレン、ポリプロピレン、またはそれらの混合物である、請求項１に記載のトナー組成物。
【請求項１３】
前記ワックスが、固形分の１〜１０重量％の量で存在する、請求項１に記載のトナー組成物。
【請求項１４】
前記ワックスが、前記アモルファスポリエステル樹脂と前記結晶性ポリエステル樹脂との混合物中、およびトナー表面上に含まれる、請求項１に記載のトナー組成物。
【請求項１５】
前記着色剤が、顔料である、請求項１に記載のトナー組成物。
【請求項１６】
前記着色剤が、カーボンブラック、シアン、マゼンタ、イエロー、およびこれらの混合物の少なくとも１つから選択される、請求項１に記載のトナー組成物。
【請求項１７】
トナーが、前記アモルファスポリエステル樹脂、前記結晶性ポリエステル樹脂、前記ロジン酸塩、前記ワックス、および前記着色剤のコアと、前記アモルファスポリエステル樹脂、前記ワックス、および前記着色剤から構成される少なくとも１つのシェルとから構成される、請求項１に記載のトナー組成物。
【請求項１８】
トナーが、前記５０℃〜５５℃のブロッキング温度を有する、請求項１に記載のトナー組成物。
【請求項１９】
アモルファスポリエステル樹脂、結晶性ポリエステル、ワックスおよび着色剤のコアと、このコアを包む少なくとも１つのシェルとから構成され、シェルが、アモルファスポリエステル樹脂と、場合によりワックスとから構成され、結晶性ポリエステルは、以下の式／構造の少なくとも１つ
【化２】
2016218443.tif 000002
によって表される核形成するロジン酸塩を含み、式中、Ｍは、金属、ＮＨ４または水素である、トナー組成物。
【請求項２０】
前記アモルファスポリエステル樹脂が、コポリ（プロポキシル化ビスフェノールＡ  コ−フマレート）−コポリ（プロポキシル化ビスフェノールＡ  コ−テレフタレート）、または、ターポリ（プロポキシル化ビスフェノールＡ  コ−ドデシルサクシネート）−ターポリ（プロポキシル化ビスフェノールＡ  コ−テレフタレート）−ターポリ−（プロポキシル化ビスフェノールＡ  コ−ドデシルサクシネート）であり、前記結晶性ポリエステル樹脂が、ポリ（１，６−ヘキシレン−１，１２−ドデカノエート）であり、前記着色剤が、顔料であり、前記ロジン酸塩が、デヒドロアビエチン酸のカリウム塩である、請求項１９に記載のトナー組成物。
【請求項２１】
トナーが、５１℃〜５４℃のブロッキング温度を有し、乳化／凝集／融着法によって調製される、請求項１９に記載のトナー組成物。
【請求項２２】
前記アモルファスポリエステル樹脂が、固形分の７０〜８０重量％の量で存在し、前記結晶性ポリエステル樹脂が、固形分の５〜１２重量％の量で存在し、前記ワックスが、固形分の４〜９重量％の量で存在し、前記着色剤が、固形分の３〜１０重量％の量で存在し、前記ロジン酸塩が、前記結晶性ポリエステル樹脂の１〜３重量％の量または前記トナー組成物の固形分の０．１〜０．３重量％の量で存在する、請求項１９に記載のトナー組成物。
【請求項２３】
アモルファスポリエステル樹脂と、以下の式／構造の少なくとも１つ
【化３】
2016218443.tif 000003
によって表されるロジン酸塩（式中、Ｍは、水素原子、ＮＨ４または金属である）を含む結晶性ポリエステル樹脂、着色剤、ワックスを混合し、凝集させ、融着させてトナー粒子を作製することを含む、方法。
【請求項２４】
前記ロジン酸塩が、前記結晶性ポリエステル樹脂の０．０１〜１０重量％の量で添加され、場合によって前記凝集は、樹脂の混合物のガラス転移温度より下で行われ、前記融着は、前記樹脂の混合物のガラス転移温度より上で行われ、場合によって前記凝集の温度は、３５℃〜４５℃であり、前記融着の温度は、７５℃〜９０℃である、請求項２３に記載の方法。